(57)【要約】【課題】  モールを所定の長さ寸法計測した後、折り曲げる作業を容易に行うことができる測定具を提供する。【解決手段】  手芸に使用されるモールの長さ寸法を計測すると共に所定位置において折曲するために使用されるモール寸法測定折曲具であって、長辺部において所定角度を以て連設された一対の細長長方形状の計測板部により構成され、上記計測板部の内面部には、長さ寸法を計測するための目盛部が長さ方向端部から形成されている構成とする。【選択図】  図１
0003176849.tif 000002
【実用新案登録請求の範囲】
【請求項１】
手芸に使用されるモールの長さ寸法を計測すると共に所定位置において折曲するために使用されるモール寸法測定折曲具であって、
長辺部において所定角度を以て連設された一対の細長長方形状の計測板部により構成され、上記計測板部の内面部には、長さ寸法を計測するための目盛部が長さ方向端部から形成されていることを特徴とするモール寸法測定折曲具。
【請求項２】
上記目盛部は、上記一対の計測板部の双方に形成されていることを特徴とする請求項１記載のモール寸法測定折曲具。
【請求項３】
上記目盛部は、１ｃｍ毎及び５ｍｍ毎に設けられた複数の目盛線により構成されていることを特徴とする請求項１又は２のいずれか１項に記載のモール寸法測定折曲具。
【請求項４】
上記一対の計測板部は、互いに直角に連設されていることを特徴とする請求項１に記載のモール寸法測定折曲具。
【請求項５】
上記計測板部は合成樹脂材により形成されていることを特徴とする請求項１に記載のモール寸法測定折曲具。
【考案の詳細な説明】
【技術分野】
【０００１】
本考案は、手芸に用いられるモールの長さ寸法を測定すると共に、所定位置においてモールを折曲する場合に使用されるモール寸法測定折曲具に関する。
【背景技術】
【０００２】
一般に、モールを使用して人形等を作成する手芸が知られており、モールを使用した人形等を製作する工程が紹介された書籍が出版されている。上記書籍には、モールを使用した人形等を作成するための工程が詳細に記載されており、作成者は、上記書籍に示された工程に従って作業することにより人形等を作成することができる。
【０００３】
上記書籍に示された工程の中には、通常、モールを所定の長さ寸法計測した後、その位置においてモールを折り曲げる工程が含まれていることがあるが、一般に、モールを所定の長さ寸法の位置において折り曲げる場合には、定規を使用して長さ寸法を測定し、測定した位置に印をつけた後、上記印の位置においてモールを折り曲げるという方法が採用されている。
【０００４】
しかしながら、上記の方法では、長さ寸法を測定して印をつける手順、および上記印の位置においてモールを折り曲げる手順が必要であり、作業が煩雑になるという問題があり、作成者からは、モールを所定の長さ寸法計測した後、折り曲げる作業を容易に行うことができる測定具を求める要請があったが、このような従来技術に応えられる発明、考案は存在しなかった。
【考案の開示】
【考案が解決しようとする課題】
【０００５】
そこで、本考案の課題は、モールを所定の長さ寸法計測した後、折り曲げる作業を容易に行うことができる測定具を提供することにある。
【課題を解決するための手段】
【０００６】
上記課題を解決するために、請求項１の考案に係るモール寸法測定折曲具にあっては、手芸に使用されるモールの長さ寸法を計測すると共に所定位置において折曲するために使用されるモール寸法測定折曲具であって、長辺部において所定角度を以て連設された一対の細長長方形状の計測板部により構成され、上記計測板部の内面部には、長さ寸法を計測するための目盛部が長さ方向端部から形成されていることを特徴とする。
【０００７】
したがって、一対の上記計測板部は、上記長辺部において所定角度を以って連設されていることから、上記長辺部にモールを配置することにより、上記モールを確実に保持した状態で、上記モールの長さ寸法を測定することができる。
【０００８】
また、上記目盛り部は上記長さ方向端部から形成されていることから、上記モールの一端部を所定の長さ寸法を示す目盛りに合わせて配置した後、上記長さ方向端部において上記モールを折曲することにより所定位置においてモールを折曲することができる。
【０００９】
請求項２の考案に係るモール寸法測定折曲具にあっては、上記目盛部は、上記一対の計測板部の双方に形成されていることを特徴とする。
【００１０】
請求項３の考案に係るモール寸法測定折曲具にあっては、上記目盛部は、１ｃｍ毎及び５ｍｍ毎に設けられた複数の目盛線により構成されていることを特徴とする。
【００１１】
一般に、モールを使用した人形等を作成するための手順が記載された書籍においては、モールを折り曲げる長さ寸法は、１ｃｍ単位または５ｍｍ単位で指定される。したがって、上記目盛部は、１ｃｍ毎及び５ｍｍ毎に設けられた複数の目盛線により構成されているから、上記目盛部は、モールを使用した人形等を作成するために必要な目盛線のみにより構成されていると共に、目盛線が１ｍｍ毎に形成された一般的な定規と比較して、目盛線の間隔寸法が大きくなる。
【００１２】
請求項４の考案に係るモール寸法測定折曲具にあっては、上記一対の計測板部は、互いに直角に連設されていることを特徴とする。
【００１３】
請求項５の考案に係るモール寸法測定折曲具にあっては、上記計測板部は合成樹脂材により形成されていることを特徴とする。
【考案の効果】
【００１４】
請求項１の考案に係るモール寸法測定折曲具にあっては、上記長辺部にモールを配置することにより、上記モールを確実に保持した状態で、上記モールの長さ寸法を測定することができると共に、上記モールの一端部を所定の長さ寸法を示す目盛りに合わせて配置した後、上記長さ方向端部において上記モールを折曲することにより所定位置においてモールを折曲することができることから、従来のような長さ寸法を測定して印をつける手順を必要とせず、使用者は、モールを所定の長さ寸法計測した後、所定位置において折り曲げる作業を容易に行うことができる。
【００１５】
請求項２の考案に係るモール寸法測定折曲具にあっては、上記目盛部は、上記一対の計測板部の双方に形成されていることから、使用者は、上記一対の計測板部のうち、使用者から視認しやすい一方の計測板部上に形成された上記目盛り部を使用して、モールの長さ寸法を測定することができ、その結果、操作性を向上させることができる。
【００１６】
請求項３の考案に係るモール寸法測定折曲具にあっては、上記目盛部は、モールを使用した人形等を作成するために必要な目盛線のみにより構成されていると共に、目盛線が１ｍｍ毎に形成された一般的な定規と比較して、目盛線の間隔寸法が大きくなる、視認性を向上させることができる。
【００１７】
請求項５の考案に係るモール寸法測定折曲具にあっては、上記計測板部は合成樹脂材により形成されていることから、製作コストを低減させることができる。また、上記計測板部が軽量となることから、操作性に富むモール寸法測定折曲具を提供することができる。
【図面の簡単な説明】
【００１８】
【図１】本考案に係るモール寸法測定折曲具の一実施の形態におけるモール寸法測定折曲具を示す斜視図である。
【図２】本考案に係るモール寸法測定折曲具の一実施の形態におけるモール寸法測定折曲具の長辺部にモールを配置して保持した状態を示す斜視図である。
【図３】本考案に係るモール寸法測定折曲具の一実施の形態におけるモール寸法測定折曲具の長辺部にモールを載置し、長さ方向端部において折り曲げた状態を示す斜視図である。
【考案を実施するための最良の形態】
【００１９】
以下、添付図面に示す実施の形態に基づき、本考案を詳細に説明する。
【００２０】
図２および図３に示すように、本実施の形態に係るモール寸法測定折曲具１０は、手芸に使用されるモール１１の長さ寸法を計測すると共に所定位置において折曲するために使用される。
【００２１】
図１に示すように、モール寸法測定折曲具１０は、長辺部１２において互いに直角をなして連設された一対の細長長方形状の計測板部１３ａ、１３ｂにより構成されている。
【００２２】
図１に示すように、上記計測板部１３ａ、１３ｂ双方の内面部１４ａ、１４ｂには、長さ寸法を計測するための目盛部１５ａ、１５ｂが長さ方向端部１６ａ、１６ｂから形成されており、上記目盛部１５ａ、１５ｂは共に、１ｃｍ毎及び５ｍｍ毎に設けられた複数の目盛線１７により構成されている。
【００２３】
また、図１に示すように、上記計測板１３ａの内面部１４ａに形成された目盛部１５ａは、上記長さ方向端部１６ａ上に形成された０の目盛線１７ａから、１ｃｍ毎に０か順次数値が増大するように数値が記され、また、上記計測板１３ｂの内面部１４ｂに形成された目盛部１５ｂは、上記長さ方向端部１６ｂ上に形成された８の目盛線１７ｂから、１ｃｍ毎に数値が減少するように数値が記されている。
【００２４】
また、上記計測板部１３ａ、１３ｂは合成樹脂材により形成されている。
【００２５】
以下、本実施の形態に係るモール寸法測定折曲具１０の作用について説明する。
【００２６】
まず、モール寸法測定折曲具１０の使用方法を説明する。
【００２７】
上記モール寸法測定折曲具１０を使用してモール１１を所定の長さ寸法を計測し、所定位置において折曲する場合には、使用者は、図２に示すように、上記長辺部１２上にモール１１を、上記モール１１の一端部２０を所定の長さ寸法に対応する目盛り１７に合わせるように配置し、使用者の一方の手１８により、上記モール寸法測定折曲具１０および上記モール１１を保持した後、図３に示すように、他方の手１９により上記モール１１を把持し、上記モール１１を下方へ移動上記長さ方向端部１６ａ、１６ｂにおいて上記モール１１を折曲する。
【００２８】
図２および図３においては、モール１１を上記一端部から７ｃｍの位置において折曲する場合を示しており、上記一端部２０を上記目盛部１５ａの７ｃｍの目盛線１７ｃに合わせた後、上記長さ方向端部１６ａ、１６ｂにおいて上記モール１１を折曲している。
【００２９】
図１に示すように、モール寸法測定折曲具１０にあっては、一対の上記計測板部１３ａ、１３ｂは、上記長辺部１２において所定角度を以って連設されていることから、図２および図３に示すように、上記長辺部１２にモールを配置することにより、上記モール１１を確実に保持した状態で、上記モール１１の長さ寸法を測定することができる。
【００３０】
また、上記目盛り部１５ａ、１５ｂは上記長さ方向端部１６ａ、１６ｂから形成されていることから、上記モール１１の一端部２０を所定の長さ寸法を示す目盛りに合わせて配置した後、上記長さ方向端部において上記モール１１を折曲することにより所定位置においてモールを折曲することができる。
【００３１】
したがって、従来のような長さ寸法を測定して印をつける手順を必要とせず、使用者は、モール１１を所定の長さ寸法計測した後、所定位置において折り曲げる作業を容易に行うことができる。
【００３２】
図１に示すように、上記目盛部１５ａ、１５ｂは、上記一対の計測板部１３ａ、１３ｂの双方に形成されていることから、使用者は、上記一対の計測板部１３ａ、１３ｂのうち、使用者から視認しやすい一方の計測板部１３ａまたは１３ｂ上に形成された上記目盛り部１５ａまたは１５ｂを使用して、モール１１の長さ寸法を測定することができ、その結果、操作性を向上させることができる。
【００３３】
また、一般に、モールを使用した人形等を作成するための手順が記載された書籍においては、モールを折り曲げる長さ寸法は、１ｃｍ単位または５ｍｍ単位で指定される。
【００３４】
したがって、図１に示すように、上記目盛部１５ａ、１５ｂは、１ｃｍ毎及び５ｍｍ毎に設けられた複数の目盛線１７により構成されているから、上記目盛部１５ａ、１５ｂは、モールを１１使用した人形等を作成するために必要な目盛線１７のみにより構成されていると共に、目盛線が１ｍｍ毎に形成された一般的な定規と比較して、目盛線間の間隔寸法Ｌが大きくなり、その結果、視認性を向上させることができる。
【００３５】
また、上記モール寸法測定折曲具１０にあっては、上記一対の細長長方形状の計測板部は合成樹脂材により形成されていることから、製作コストを低減させることができる。また、上記計測板部１３ａ、１３ｂが軽量となることから、操作性に富むモール寸法測定折曲具１０を提供することができる。
【産業上の利用可能性】
【００３６】
本考案は、芸に用いられるモールの長さ寸法を測定すると共に、所定位置においてモールを折曲する場合に使用されるモール寸法測定折曲具に適用可能であり、産業上の利用可能性を有している。
【符号の説明】
【００３７】
１０  モール寸法測定折曲具
１１  モール
１２  長辺部
１３ａ、１３ｂ  計測板部
１４ａ、１４ｂ  内面部
１５ａ、１５ｂ  目盛部
１６ａ、１６ｂ  長さ方向端部
１７  目盛線
１８  一方の手
１９  他方の手
２０  一端部
【図１】
0003176849.tif 000003
【図２】
0003176849.tif 000004
【図３】
0003176849.tif 000005